(57)【要約】      （修正有）【課題】制振免震ユニットによって支持されている建造物の地震動による揺れを緩和することができ、地震動が無い場合は建造物の風揺れを防止することのできる制振免震装置を提供する。【解決手段】地震動に応じて制振免震ユニット１に取付けられた動吸振器６によって、該制振免震ユニット１に振動を付与し、制振免震ユニット１によって支持されている建造物の地震動による揺れを緩和し、地震動が無い場合は制振免震ユニット１に取付けられた風揺れ防止機構によって建造物の風揺れを防止することができ、動吸振器６によって振動を付与される制振免震ユニット１は、開口部を有する円筒状の枠体１０内に球体１２が収納され、該枠体１０より球体１２の一部が露出して設置面または受皿部材摺動面で転動するように保持されている地震動に応じて作動する制振免震装置。【選択図】図１
0003176930.tif 000002
【実用新案登録請求の範囲】
【請求項１】
地震動に応じて制振免震ユニットに取付けられた動吸振器によって、該制振免震ユニットに振動を付与し、制振免震ユニットによって支持されている建造物の地震動による揺れを緩和し、地震動が無い場合は制振免震ユニットに取付けられた風揺れ防止機構によって建造物の風揺れを防止することを特徴とする地震動に応じて作動する制振免震装置。
【請求項２】
動吸振器によって振動を付与される制振免震ユニットは、開口部を有する円筒状の枠体内に球体が収納され、該枠体より球体の一部が露出して設置面または受皿部材摺動面で転動するように保持されていることを特徴とする請求項１記載の地震動に応じて作動する制振免震装置。
【請求項３】
地震情報発信部からの地震情報の大きさが閾値を超える場合に、制御部より複数の制振免震ユニットに取付けられた動吸振器を駆動する信号を制御部から送信するように構成されていることを特徴とする請求項１記載の地震動に応じて作動する制振免震装置。
【請求項４】
制振免震ユニットの枠体に風揺れ防止機構が取付けられており、建造物に対する風揺れを防止するように、該風揺れ部防止機構に挿通されているラックの下端部を上方への付勢力に抗して設置面に形成された孔部に嵌着してロックし、地震動が生じた時に該ラックのロックが解除されるように構成したことを特徴とする請求項１記載の地震動に応じて作動する制振免震装置。
【請求項５】
ロック解除機構のロック状態においてはラック先端が下降位置に嵌着されており、該ロック解除機構の筺体内にはスライド自在なスライドプレートがあり、該スライドプレートの先端部にラチェットギヤが支軸によって一方向回動自在に保持され、他端に当接されたカムによって押圧され、ラチェットギヤがラックに噛合ってラックの上昇を阻止してロック状態となるように構成したことを特徴とする請求項１記載の地震動に応じて作動する制振免震装置。
【請求項６】
ロック解除機構の筺体とレリーズチューブ固定部間にレリーズチューブが固定され、該レリーズチューブにレリーズワイヤが挿通され、該レリーズワイヤの一端がカムの一端に保持され、他端がレリーズワイヤ固定部に固定されており、地震動によって変位する該レリーズワイヤ固定部が変位するとこれに伴ってレリーズワイヤが変位し、カムが動作してスライドプレートがスライドしてラチェットギヤが離脱してラック下端の嵌着が解除され、制振免震ユニットの機能が復元されることを特徴とする請求項１記載の地震動に応じて作動する制振免震装置。
【請求項７】
地震動が無い場合は、風圧による建造物の風揺れを防止する風揺れ防止機構が機能するように構成したことを特徴とする請求項１記載の地震動に応じて作動する制振免震装置。
【考案の詳細な説明】
【技術分野】
【０００１】  本考案は地震動に応じて作動する制振免震装置に関し、特に装置設置域における地震動に応じて制振免震ユニットに取付けられた動吸振器によって、該制振免震ユニットに振動を付与し、制振免震ユニットによって支持されている建造物の地震動による揺れを緩和することができ、地震動が無い場合は建造物の風揺れを防止することのできる制振免震装置に関する。
【背景技術】
【０００２】  従来、地震発生時において、建造物が設置されている場所のＳ波の大きさが設定震度以上の地震を感知することによって建造物の設置場所での揺れ防止機構を作用させる技術が開発されている。
【先行技術文献】
【特許文献】
【０００３】
【特許文献１】  登録実用新案第３０１９０５７号公報
【特許文献２】  特開２００１−２２７５８３号公報
【考案の概要】
【考案が解決しようとする課題】
【０００４】  前記せる登録実用新案第３０１９０５７号公報では、滑動手段を基台と滑りプレート間に介装させて、滑りプレートの揺動による水平荷重をダンパーによって一部を吸収あるいは緩和して対象物に伝達する構造であった。【０００５】  また、前記せる特開２００１−２２７５８３号公報では、地震時の水平運動を吸収して支持対象物体を安定に支持するものであって、枠体で保持される強度のある球体で建築物を支持できる耐震支持装置であった。
【考案が解決しようとする課題】
【０００６】  前記せる従来技術は、いずれも地震発生時において建造物が設置されている場所の揺れの大きさが設定震度以上の地震を感知することによって建造物の揺れ防止機構を作用させる技術であったが、本考案の課題は、地震動に応じて作動する制振免震装置に関し、特に装置設置域における地震動に応じて制振免震ユニットに取付けられた動吸振器によって、該制振免震ユニットに振動を付与し、制振免震ユニットによって支持されている建造物の地震動による揺れを緩和することのでき、地震動が無い場合は建造物の風揺れを防止することのできる制振免震装置を提供することである。
【課題を解決するための手段】
【０００７】  本考案は前記せる課題を以下の構成によって解決するものである。【０００８】  地震動に応じて制振免震ユニットに取付けられた動吸振器によって、該制振免震ユニットに振動を付与し、制振免震ユニットによって支持されている建造物の地震動による揺れを緩和し、地震動が無い場合は制振免震ユニットに取付けられた風揺れ防止機構によって建造物の風揺れを防止することを特徴とし、動吸振器によって振動を付与される制振免震ユニットは、開口部を有する円筒状の枠体内に球体が収納され、該枠体より球体の一部が露出して設置面または受皿部材摺動面で転動するように保持されていることを特徴とし、地震情報発信部からの地震情報の大きさが閾値を超える場合に、制御部より複数の制振免震ユニットに取付けられた動吸振器を駆動する信号を制御部から送信するように構成されていることを特徴とし、制振免震ユニットの枠体に風揺れ防止機構が取付けられており、建造物に対する風揺れを防止するように、該風揺れ部防止機構に挿通されているラックの下端部を上方への付勢力に抗して設置面に形成された孔部に嵌着してロックし、地震動が生じた時に該ラックのロックが解除されるように構成したことを特徴とし、ロック解除機構のロック状態においてはラック先端が下降位置に嵌着されており、該ロック解除機構の筺体内にはスライド自在なスライドプレートがあり、該スライドプレートの先端部にラチェットギヤが支軸によって一方向回動自在に保持され、他端に当接されたカムによって押圧され、ラチェットギヤがラックに噛合ってラックの上昇を阻止してロック状態となるように構成したことを特徴とし、ロック解除機構の筺体とレリーズチューブ固定部間にレリーズチューブが固定され、該レリーズチューブにレリーズワイヤが挿通され、該レリーズワイヤの一端がカムの一端に保持され、他端がレリーズワイヤ固定部に固定されており、地震動によって変位する該レリーズワイヤ固定部が変位するとこれに伴ってレリーズワイヤが変位し、カムが動作してスライドプレートがスライドしてラチェットギヤが離脱してラック下端の嵌着が解除され、制振免震ユニットの機能が復元されることを特徴とし、且つ、地震動が無い場合は、風圧による建造物の風揺れを防止する風揺れ防止機構が機能するように構成したことを特徴とする地震動に応じて作動する制振免震装置を提供する。
【考案の効果】
【０００９】  以上説明した構成によれば、本考案は球体支持による免震構造と制振免震ユニットに動吸振器によって振動を付与する複合的な制振免震効果を発揮するものであり、地震動の到達時に制振免震ユニットに取付けた動吸振器に振動を付与することにより建造物の揺れを緩和できる考案であって建造物の地震による損壊を防止する効果がある。【００１０】  一般的に、機械本体に別に振動するものを取り付けて、機械本体の振動を低減する動吸振器（Ｄｙｎａｍｉｃ  ｄａｍｐｅｒ）が知られている。そこで本考案者はこの動吸振器の原理を制振免震装置に応用して建造物の揺れを緩和できる知見を得て本考案を創案するに至ったものである。
【図面の簡単な説明】
【００１１】
【図１】  地震動に応じて作動する制振免震装置全体の構成図である。
【図２】  制振免震ユニットの略示断面図である。
【図３】  制振免震ユニットの略示断面図である。
【図４】  ロック解除機構の構成図である。
【考案を実施するための形態】
【００１２】  以下、図面に示す実施例に基づき、本考案の地震動に応じて作動する制振免震装置を具体的に説明する。
【００１３】  気象庁のサーバーや装置設置域の地震計等から得られるリアルタイムの地震情報が地震情報発信部２から制御部３と配線５を介して動吸振器６やロック解除機構７へ送信されるようになっている。
【００１４】  動吸振器６によって振動を付与される制振免震ユニット１は、開口部を有する円筒状の枠体１０内に球体１２が収納され、該枠体１０より球体１２の一部が露出して設置面１４または受皿部材摺動面１４１で転動するように保持されている。
【００１５】  地震情報発信部２からの地震情報の大きさが閾値を超える場合に、制御部３より複数の制振免震ユニット１に取付けられた動吸振器６を駆動する信号が配線５を介して動吸振器６に送信される。
【００１６】  駆動電源は電源コード４で送電されるが、停電時には制御部３で無停電電源装置４１に切り替えることができる。
【００１７】  制振免震ユニット１の枠体１０に風揺れ防止機構８が取付けられており、建造物１５に対する風揺れを防止するように、該風揺れ部防止機構８に挿通されているラック８１の下端部が上方への付勢力に抗して設置面に形成された孔部８２に嵌着されてロックされ、地震動が生じた時に該ラック８１のロックが解除されるように構成されている。
【００１８】  ロック解除機構７のロック状態においてはラック８１の先端が下降位置に嵌着されており、該ロック解除機構７の筺体７０内にはスライド自在なスライドプレート７５があり、該スライドプレート７５の先端部にラチェットギヤ８３が支軸７３によって一方向回動自在に保持され、他端に当接されたカム７４によって押圧され、ラチェットギヤ８３がラック８１に噛合ってラック８１の上昇を阻止してロック状態となっている。
【００１９】  球体１２の転動がフリーになっている場合は、建造物１５への風圧によって球体１２が回動されるので、制振免震ユニット１と共に風揺れが生じるが、ラック８１を上方向に付勢するバネ（図示せず）に抗して押し下げられたラック８１の先端は設置面１４の孔部８２に嵌着された状態で球体１２の転動が阻止されるので、その結果、建造物１５の風揺れを防止できる。
【００２０】  電力によってラック８１のロックを解除する場合はソレノイド８５を利用して行う。
【００２１】  電力を使わずにロック解除をする場合は、図４に示すロック解除機構７を使用することができる。
【００２２】  ロック解除機構７の筺体７０とレリーズチューブ固定部７２間にレリーズチューブ９が固定され、該レリーズチューブ９にレリーズワイヤ９１が挿通され、レリーズワイヤ９１の一端がカム７４の一端に保持され、他端がレリーズワイヤ固定部７１に固定されており、地震動によって変位する該レリーズワイヤ固定部７１が変位するとこれに伴ってレリーズワイヤ９１が変位し、カム７４が動作してスライドプレート７５がスライドしてラチェットギヤ８３が離脱してラック８１の下端嵌着部が解除され、制振免震ユニット１の機能が復元される。
【００２３】  制振免震ユニット１の第１の実施例構造は図１に示す通りである。
【００２４】  建造物１５の下部には支持ボルト１７を介して、開口部を有する円筒状の枠体１０内に鋼製又は高強度プラスチック製の球体１２が収納され、該球体１２の一部が制動リング１１より露出して設置面１４で転動するように保持されている。
【００２５】  制振免震ユニット１の第２の実施例構造は図２に示す通りである。
【００２６】  建造物１５の下部には支持ボルト１７を介して、開口部を有する円筒状の枠体１０内に鋼製又は高強度プラスチック製の球体１２が収納され、該球体１２の一部がストッパー１１０で保持された制動リング１１より露出して受皿部材摺動面１４１で転動するように保持されている。
【００２７】  第１乃至第２実施例のいずれの場合においても、支持ボルト１７下端のバネ１６と小球１３によって球体１２を押圧しており、上下動に対する緩衝効果を有している。
【００２８】  また、球体１２は側部の摩擦部１８と制動リング１１によって横揺れ全方向の制動機能を付与されている。
【００２９】  制振免震ユニット１の第３の実施例構造は図３に示す通りである。
【００３０】  制振免震ユニット１の第３の実施例では球体１２に当接する部材がコニカル形状部１３２を有するコニカル部材１３１になっている。
【産業上の利用可能性】
【００３１】  以上説明したように本考案の地震動に応じて作動する制振免震装置によれば、リアルタイムの地震情報を受信して、Ｐ波によって予測されるＳ波の大きさが閾値を超える場合や装置の設置域における地震計の地震情報によって、制振免震ユニットに取付けられた動吸振器によって、制振免震ユニットに振動を付与し、該制振免震ユニットによって支持されている建造物の地震による揺れを緩和することができるので、防災上の利用可能性の高いものである。
【符号の説明】
【００３２】  １  制振免震ユニット
２  地震情報発信部（地震計等）
３  制御部
４  電源コード
４１  無停電電源装置
５  配線
６  動吸振器
７  ロック解除機構
７０  筺体
７１  レリーズワイヤ固定部
７２  レリーズチューブ固定部
７３  支軸
７４  カム
７５  スライドプレート
７６  バネ
７７  ピン
７８  ピン
７９  長孔
８  風揺れ防止機構
８１  ラック
８２  孔部
８３  ラチェットギヤ
８４  支軸
８５  ソレノイド
９  レリーズチューブ
９１  レリーズワイヤ
１０  枠体
１１  制動リング
１１０  ストッパー
１２  球体
１３  小球
１３１  コニカル部材
１３２  コニカル形状部
１４  設置面
１４１  受皿部材摺動面
１５  建造物
１６  バネ
１７  支持ボルト
１８  摩擦部
【図１】
0003176930.tif 000003
【図２】
0003176930.tif 000004
【図３】
0003176930.tif 000005
【図４】
0003176930.tif 000006